(57)【要約】      （修正有）【課題】電子機器を設置面に固定するための固定構造を提供する。【解決手段】固定構造１００は、固定プレート１１０、設置フレーム１２０、第１ピボット部１３０、第２ピボット部１４０および連結部１５０を含む。固定プレートは、設置面上に設けられ、設置フレームは、電子機器５０の背面に着脱可能に設けられる。第１ピボット部は、固定プレート上の設置面と反対側に設けられる。第２ピボット部は、設置フレーム上の固定プレートに面した側に設けられる。第１ピボット部と第２ピボット部は、連結部の両側でそれぞれ旋回する。電子機器と設置フレームが第１ピボット部と第２ピボット部により、設置面と連結部に連動して旋回するように設けられる。【選択図】図２
2018078535.tif 000002
【特許請求の範囲】
【請求項１】
電子機器を設置面に接続するように構成された固定構造であって、
・前記設置面に設けられた固定プレートと、
・前記電子機器の背面に着脱可能に設けられた設置フレームと、
・前記固定プレート上の、前記設置面と反対側に設けられた第１ピボット部と、
・前記設置フレーム上の、前記固定プレートに面する側に設けられた第２ピボット部と、
・連結部であって、前記第１ピボット部および前記第２ピボット部が両端にそれぞれピボット連結された前記連結部と、
を備え、前記電子機器と前記設置フレームが前記第１ピボット部と前記第２ピボット部により、前記設置面と前記連結部に連動して旋回する、固定構造。
【請求項２】
請求項１に記載の固定構造であって、前記設置フレームが前記設置フレームの底に少なくとも１つのワイヤトリミング部を備え、前記ワイヤトリミング部が電子機器のワイヤを前記設置フレームの両端に広げるように導く、固定構造。
【請求項３】
請求項１に記載の固定構造であって、前記固定プレートと前記設置面の間に設けられた接着部を更に備え、前記固定プレートが前記接着部にて前記設置面と接着固定された、固定構造。
【請求項４】
請求項１に記載の固定構造であって、前記固定プレートの面積と前記第１ピボット部の面積の比が３以上である、固定構造。
【請求項５】
請求項１に記載の固定構造で、前記第１ピボット部が第１ピボット基部と第１ピボットを持ち、前記第１ピボットが前記第１ピボット基部と前記連結部の両端の１つを貫く、固定構造。
【請求項６】
請求項５に記載の固定構造であって、前記第２ピボット部が第２ピボット基部と第２ピボットを持ち、前記第２ピボットが前記第２ピボット基部と前記連結部の両端の反対側を貫く、固定構造。
【請求項７】
請求項５に記載の固定構造であって、前記固定プレート上において、前記第１ピボット基部と第１ピボットの配置位置が水平方向において前記固定プレートの中間ラインよりも低い、固定構造。
【請求項８】
請求項１に記載の固定構造であって、前記設置フレームが前記設置フレームの端に設けられた複数の結合部を持ち、前記電子機器が前記設置フレームに前記結合部にて結合された、固定構造。
【請求項９】
請求項１に記載の固定構造であって、前記設置フレームの形状が円、楕円、長方形、正方形、三角形、ひし形、正多角形、または不規則多角形である、固定構造。
【請求項１０】
請求項１に記載の固定構造であって、前記設置フレームが前記固定プレートの両端の方向に、前記連結部と前記第１ピボット部により、少なくとも３０度旋回する、固定構造。
【発明の詳細な説明】
【関連出願の説明】
【０００１】
本出願は、2016年11月10日に出願された中国特許出願番号201621211467.1に基づく優先権を主張する。上記の特許出願の全体は、ここに参照として取り込まれ、本明細書の一部をなすものである。
【技術分野】
【０００２】
本発明は、固定構造に関するもので、特に電子機器を固定するための固定構造に関するものである。
【背景技術】
【０００３】
技術の発達や生活水準の向上に伴い、携帯電話やタブレット型パーソナルコンピュータ（ＰＣ）、生理信号の感知装置など、様々なディスプレイ装置やアプリケーションが日々のくらしに用いられている。現在の電子機器を利用するときは、一般的に手で持ったり、特定の場所に置かれたりする。一部の電子機器は壁置きの構成部品と一緒に用いられるが、現在の壁置き構造は掛けるものに限られており、壁置きの電子機器のディスプレイの角度もまた限られてしまっている。例えば、前述の電子機器が室内や浴室で利用される際など、特定の利用環境において、様々な角度から画像や付加情報を提供するために、電子機器は壁掛け面に応じて移動や旋回をすることは難しい。上記に比べ、既存の壁掛け構造では、電子機器の壁掛け位置や画像表示角度は効果的に調整することができないため、電子機器の設置位置や壁掛け位置を柔軟に調整することができず、電子機器は室内や浴室において、鏡のような機器とともに使うことができない。さらに、現在の電子機器の壁掛けや固定構造は様々な利用状況や利用者の要望に応じて更なる改良やデザインされることが求められる。
【発明の概要】
【発明が解決しようとする課題】
【０００４】
本発明は固定するための仕組みに関するもので、電子機器の設置や固定に用いられるものである。
【０００５】
本発明は電子機器を設置面に固定するために用いられる固定構造に関するもので、固定構造は固定プレート、設置フレーム、第１ピボット部、第２ピボット部と連結部を含む。固定プレートは設置面に配置され、設置フレームは着脱可能に電子機器の背面に設置される。第１ピボット部は固定プレート上の設置面と反対側に配置される。第２ピボット部は設置フレーム上の固定プレートと面する側に配置される。第１ピボット部と第２ピボット部はそれぞれ連結部の両側に軸止めされる。電子機器と設置フレームは、第１ピボット部および第２ピボット部により設置面と連結部に連動して旋回することができる。
【０００６】
本発明の実施形態において、設置フレームはさらに設置フレームの底に設置されたワイヤトリミング部を備える。ワイヤトリミング部は電子機器のワイヤを設置フレームの両端に広げるように導くことができる。
【０００７】
本発明の実施形態において、固定構造はさらに接着部を含む。接着部は固定プレートと設置面の間に設けられ、固定プレートは接着部により設置面と接着、固定される。
【０００８】
本発明の実施形態において、固定プレートの面積と第１ピボット部の面積の比は３以上である。
【０００９】
本発明の実施形態において、第１ピボット部は第１ピボット基部と第１ピボットを持つ。第１ピボットが第１ピボット基部と連結部の両端の２つを貫く。
【００１０】
本発明の実施形態において、第２ピボット部は第２ピボット基部と第２ピボットを持つ。第２ピボットが第２ピボット基部と連結部の両端の反対側を貫く。
【００１１】
本発明の実施形態において、第１ピボット基部と第１ピボットの固定プレート上の配置位置が水平方向において固定プレートの中間ラインよりも低い。
【００１２】
本発明の実施形態において、設置フレームは結合部を持つ。結合部は設置フレームの端に複数設けられ、電子機器は結合部にて設置フレームと結合される。
【００１３】
本発明の実施形態において、設置フレームの形状には円、楕円、長方形、正方形、三角形、ひし形、多角形、または不規則な多角形が含まれる。
【００１４】
本発明の実施形態において、設置フレームが、連結部と第１ピボット部により、固定プレートの両端の方向に少なくとも３０度旋回する。
【００１５】
上記の記述に基づき、本発明の実施形態において、固定構造は設置面に電子機器を設置したり、電子機器を固定したりすることに用いられる。さらに、固定構造は第１ピボット部と第２ピボット部を持つことにより、電子機器が設置面に連動して旋回をすることができるとともに、電子機器が第２ピボット部により連結部に連動して旋回することができ、利用者により電子機器の表示画像の角度を調整することができる。
【００１６】
本発明の持つ前述および他の特徴や利点をわかりやすくするために、いくつかの例示的な実施形態について、図面を用いて、以下で詳細に説明する。
【図面の簡単な説明】
【００１７】
添付図面は本発明の理解を深めるために提供され、本明細書の一部を構成する。これらの図面は本発明の実施形態を図示したもので、詳細な説明とともに本発明の原理を説明するために用いられる。
【図１】本発明の実施形態による固定構造の概略図である。
【図２】図１に示す固定構造の分解図である。
【図３】図１に示す固定構造における構成物の一部の側面図である。
【発明を実施するための形態】
【００１８】
図１は発明の実施形態による固定構造の概略図である。図２は図１の固定構造の分解図である。本実施形態において、固定構造１００は電子機器５０を、たとえば壁などの設置面１０に固定するために用いられる。固定構造１００は固定プレート１１０、設置フレーム１２０、第一ピボット部１３０、第二ピボット部１４０、および連結部１５０を持つ。固定プレート１１０は設置面１０に固定され、設置フレーム１２０は電子機器５０の背面に着脱可能なように設けられる。第一ピボット部１３０は固定プレート１１０上の設置面１０と反対側に設けられる。第二ピボット部１４０は設置フレーム１２０上の固定プレート１１０に面した側に設けられる。さらに、第１ピボット部１３０と第２ピボット部１４０はそれぞれ連結部１５０の両側に軸止めされる。さらに、電子機器５０と設置フレーム１２０は、第１ピボット部１３０と第２ピボット部１４０により、設置面１０と連結部１５０に連動して旋回するように構成される。
【００１９】
本実施形態において、電子機器５０は、携帯電話、タブレットパーソナルコンピュータ（ＰＣ）、またはその他の電子ディスプレイやカメラ検知機器などである。さらに、第１ピボット部１３０は第１ピボット基部１３２と第１ピボット１３４を有し、第１ピボット１３４は第１ピボット基部１３２と連結部１５０の両端の１つを貫く。さらに、第２ピボット部１４０は第２ピボット基部１４２と第２ピボット１４４を有し、第２ピボット１４４は第２ピボット基部１４２と連結部１５０の両端の反対側を貫く。
【００２０】
ひとつの実施形態として、設置フレーム１２０と電子機器５０は、連結部１５０と第１ピボット部１３０により、設置面１０と連動して旋回することや、さらに、同時に第２ピボット１４４と連結部１５０と連動して旋回することがありうる。例えば、図１に示すように、設置フレーム１２０と電子機器５０は固定プレート１１０の右側または左側に少なくとも３０度、旋回することで、設置面１０に対する電子機器５０の位置を調整する。さらに、壁などの設置面１０に電子機器５０が固定される際に、設置面１０に連動して電子機器５０の位置は利用者が見る、または使うのに最適な位置に調整できる。特に、利用者が電子機器５０のカメラ機能を利用する際に、電子機器５０は設置面１０に連動して適切な撮影角度に旋回することができる。したがって、本実施形態において、電子機器５０は利用者の顔を様々な角度から撮影する事ができ、電子機器５０は鏡のような機能も提供することができる。さらに、利用者が電子機器５０を顔の画像の撮影や表示に利用する際に、電子機器５０は様々な角度や位置から撮影された顔画像のリアルタイム分析を行い、利用者の顔の肌や健康状態を表示することができ、それとともに、顔のケア、美容、ヘルスケアや健康関連情報などの関連情報を提供することができる。
【００２１】
本実施形態において、設置フレーム１２０は少なくとも１つのワイヤトリミング部１２２を設置フレーム１２０の底に備える（図面には２つのワイヤトリミング部が記載されている）。ワイヤトリミング部１２２は電子機器５０のワイヤを設置フレーム１２０の両側方向に広げるように導くように構成され、旋回の工程や電子機器５０の利用工程の中で、電子機器５０自信や他の周りのものに電子機器５０のワイヤが巻きつくことを防ぐ（図面にはワイヤの記載はない）。
【００２２】
そのほか、本実施形態において、設置フレーム１２０の形式は円、楕円、長方形、正方形、三角形、ひし形、多角形、または不規則な多角形等を取ることができ、本発明により制限されるものではない。さらに、設置フレーム１２０の端に複数の結合部１２４ａと１２４ｂを持ち、電子機器５０が設置フレームに結合部１２４ａと１２４ｂにより結合される。本発明において、結合部１２４ａと１２４ｂの配置方法は図１や図２に示す実施形態に限られず、結合部１２４ａと１２４ｂの配置方法は実際の利用者の要求応じて適切に調整や変更することができる。
【００２３】
本実施形態において、図１と図２を参照すると、固定構造１００にはさらに接着部１７０が固定プレート１１０と設置面１０の間に設けられており、固定プレート１１０と設置面１０を接着、固定している。本実施形態において、固定プレート１１０と設置面１０の間の接着面と接着力を増やすために、固定プレート１１０の面積は少なくとも第１ピボット部１２０の設置面の面積の３倍以上として、固定プレート１１０は設置面１０にしっかりと接着させることが好ましい。本実施形態において、設置面１０に接着させた固定構造１００は少なくとも２０キログラムの力や重さに耐えることができる。
【００２４】
本実施形態において、接着部１７０として、例えば図２に示す接着シートが用いられる。しかしながら、図示していない他の実施形態においては、固定プレート１１０を設置面１０に接着させるために接着剤が接着部１７０として用いられる。
【００２５】
本実施形態において、接着部１７０により固定構造１００を設置面１０に直接接着させることで、固定構造１００を設置面１０に固定させるために設置面１０にねじ穴を開ける必要がない。したがって、本発明の固定構造１００は電子機器５０をドリルで穴開けするのに適さない設置面１０に固定するのに適している。また、電子機器５０が例えば壁などの設置面１０にかけられる際に、壁にねじ穴を開ける必要がないため、壁表面の外観に穴開けすることで傷をつけずに済む。
【００２６】
本実施形態において、図１と図２を参照すると、固定プレート１１０は複数の突起部１１３を備え、第１ピボット部１３０は突起部１１３に対応するよう設計された複数の穴１３３を備え、第１ピボット部１３０を固定プレート１１０に固定するために突起部１１３が穴１３３に挿入される。
【００２７】
設置フレーム１２０と第２ピボット部１４０はそれぞれ、互いに対応するように設計された複数のねじ穴１２３とねじ穴１４３を備えている。設置フレーム１２０と第２ピボット部１４０は互いに前述のねじ穴１２３とねじ穴１４３によりねじ止めされ、固定される。しかしながら、図示していない他の辞し形態においては、固定プレート１１０と第１ピボット部１３０、設置フレーム１２０と第２ピボット部１４０はそれぞれ接着部やその他の方法により固定されることもあり、固定構造１００の構成物間の固定方法は発明により制限されない。
【００２８】
図３は図１の固定構造の構成物の一部の側面図である。本実施形態において、図３を参照すると、第１ピボット部１３０における第１ピボット基部１３２と第１ピボット１３４の配置位置は、例えば、固定プレート１１０の垂直方向で中間よりも下に、すなわち、図３にて固定プレート１１０の中間線Ｌ１よりも下に設置されている。利用者が電子機器５０を利用する工程において、設置面１０上に固定された電子機器５０を取ったり操作したりするために上から下への押圧力がかけられた場合に、押圧力は固定プレート１１０と第１ピボット部１３０に大きなトルクを生じさせる。前述の構成物の配置方法により、固定プレート１１０と設置面１０の接着力は押圧力により生じたトルクに十分に耐えられ、固定プレート１１０が設置面１０から落下することを防ぐ。言い換えると、前述の構成物の設置方法により、固定プレート１１０と設置面１０の接着力により生じるトルクが押圧力により生じるトルクよりも大きいため、電子機器５０が外部からの下方向の力がかけられた場合に、固定プレート１１０は設置面１０に接着し続けることができる。
【００２９】
要約すると、本発明の実施形態の固定構造は壁などの様々な設置面に携帯電話やタブレットＰＣのような電子機器のディスプレイ機器を固定するために使うことができる。電子機器は固定構造の設置フレームに着脱可能に接着し、電子機器は第１ピボット部、第２ピボット部、および連結部により、固定プレートと設置面に連動して旋回することができる。電子機器が固定構造により設置面に接着、固定された際に、第１ピボット部と第２ピボット部により、設置面や利用者の見る角度に応じて電子機器の配置位置を調節することができるため、利用者が利用や見る際の利便性を向上できる。特に、本発明の固定構造を用いて、利用者が電子機器のイメージキャプチャ機能やディスプレイ機能を利用する際に、電子機器は様々な角度や位置から利用者の顔の画像を撮影することができるため、電子機器が鏡に似た機能を提供することができ、さらに一般的な鏡に比べてより広い反射角を提供することができる。さらに、電子機器により異なる角度から異なる顔の部分の画像のリアルタイム分析を行い、顔のケア、美容、ヘルスケアや健康関連の情報など、関連する情報を提供することができる。
【００３０】
本発明の範囲や精神から逸脱することなく、本発明の構造に対して様々な変更や変形を行えることは、当業者には明らかである。上記を考慮し、本発明の改変および変形は、以下の特許請求の範囲および均等の範囲に含まれるものとする。
【図１】
2018078535.tif 000003
【図２】
2018078535.tif 000004
【図３】
2018078535.tif 000005
【外国語明細書】
2018078535000001.pdf